(57)【特許請求の範囲】
【請求項１】
第１液晶セルと、
前記第１液晶セルよりも観察者から遠い位置に配置される第２液晶セルと、
各々が、偏光板及び位相差板が積層された光学シートであって、互いに同一部品である第１光学シート及び第２光学シートとを備え、
前記第１液晶セル及び前記第２液晶セルの各々は、観察者側の面である前面と、前記前面に背向する背面とを有し、
前記第１光学シートは前記第１液晶セルの背面側に配置され、かつ、前記第２光学シートは前記第２液晶セルの前面側に配置されている、
液晶表示装置。
【請求項２】
前記光学シートは、さらに、前記偏光板及び前記位相差板に積層された光拡散層を有する、
請求項１に記載の液晶表示装置。
【請求項３】
前記光学シートにおいて、前記偏光板の吸収軸と前記位相差板の遅相軸とが略直交している、
請求項１または２に記載の液晶表示装置。
【請求項４】
各々が、偏光板を有する別の光学シートであって、互いに同一部品である第３光学シート及び第４光学シートとをさらに備え、
前記第３光学シートは前記第１液晶セルの前面側に配置され、かつ、前記第４光学シートは前記第２液晶セルの背面側に配置されている、
請求項１に記載の液晶表示装置。
【請求項５】
前記第１液晶セルは、互いに対向する画素電極及び共通電極を含む第１ＴＦＴ基板と、前記第１ＴＦＴ基板に対向し、カラーフィルタ及び当該カラーフィルタを取り囲むブラックマトリックスを含む第１対向基板と、前記第１ＴＦＴ基板と前記第１対向基板との間に配置された第１液晶層と、を有し、
前記第２液晶セルは、互いに対向する画素電極及び共通電極を含む第２ＴＦＴ基板と、前記第２ＴＦＴ基板に対向し、ブラックマトリックスを含む第２対向基板と、前記第２ＴＦＴ基板と前記第２対向基板との間に配置された第２液晶層と、を有する、
請求項１〜４のいずれか１項に記載の液晶表示装置。
【請求項６】
前記第１液晶セルの前記第１対向基板は、前記第１ＴＦＴ基板よりも前記第１液晶セルの前面寄りに配置され、
前記第２液晶セルの前記第２対向基板は、前記第２ＴＦＴ基板よりも前記第２液晶セルの背面寄りに配置されている、
請求項５に記載の液晶表示装置。
【請求項７】
前記第１液晶セルと前記第１光学シートとを含む第１表示パネルは、カラー画像を表示し、
前記第２液晶セルと前記第２光学シートとを含む第２表示パネルは、モノクロ画像を表示する、
請求項５または６に記載の液晶表示装置。
【請求項８】
前記第１液晶層は、正の誘電異方性を有するポジ型液晶を含み、
前記第２液晶層は、負の誘電異方性を有するネガ型液晶を含む、
請求項５〜７のいずれか１項に記載の液晶表示装置。
【請求項９】
前記光学シートにおいて、前記偏光板の吸収軸と前記位相差板の遅相軸とが略直交していて、
前記第１ＴＦＴ基板の前記画素電極には、前記第１光学シートの前記偏光板の吸収軸よりも前記第１光学シートの前記位相差板の遅相軸となす角度が小さい方向に沿って延びる複数のスリットが形成され、
前記第２ＴＦＴ基板の前記画素電極には、前記第２光学シートの前記偏光板の吸収軸よりも前記第２光学シートの前記位相差板の遅相軸となす角度が大きい方向に沿って延びる複数のスリットが形成されている、
請求項８に記載の液晶表示装置。
【請求項１０】
第１液晶セルと、
前記第１液晶セルよりも観察者から遠い位置に配置される第２液晶セルと、
を備え、
前記第１液晶セル及び前記第２液晶セルの各々は、観察者側の面である前面と、前記前面に背向する背面とを有し、
前記第１液晶セルは、互いに対向する画素電極及び共通電極を含む第１ＴＦＴ基板と、前記第１ＴＦＴ基板に対向し、カラーフィルタ及び当該カラーフィルタを取り囲むブラックマトリックスを含む第１対向基板と、前記第１ＴＦＴ基板と前記第１対向基板との間に配置された第１液晶層と、を有し、
前記第２液晶セルは、互いに対向する画素電極及び共通電極を含む第２ＴＦＴ基板と、前記第２ＴＦＴ基板に対向し、ブラックマトリックスを含む第２対向基板と、前記第２ＴＦＴ基板と前記第２対向基板との間に配置された第２液晶層と、を有し、
前記第１液晶層は、正の誘電異方性を有するポジ型液晶を含み、
前記第２液晶層は、負の誘電異方性を有するネガ型液晶を含む、
液晶表示装置。
【請求項１１】
各々が偏光板及び位相差板が積層された光学シートである第１光学シート及び第２光学シートをさらに備え、
前記光学シートにおいて、前記偏光板の吸収軸と前記位相差板の遅相軸とが略直交していて、
前記第１ＴＦＴ基板の前記画素電極には、前記第１光学シートの前記偏光板の吸収軸よりも前記第１光学シートの前記位相差板の遅相軸となす角度が小さい方向に沿って延びる複数のスリットが形成され、
前記第２ＴＦＴ基板の前記画素電極には、前記第２光学シートの前記偏光板の吸収軸よりも前記第２光学シートの前記位相差板の遅相軸となす角度が大きい方向に沿って延びる複数のスリットが形成されている、
請求項１０に記載の液晶表示装置。
【発明の詳細な説明】
【技術分野】
【０００１】
本開示は、液晶表示装置に関する。
【背景技術】
【０００２】
液晶セルを含む表示パネルを用いた液晶表示装置は、低消費電力で画像を表示することができるため、テレビ又はモニタ等のディスプレイ等として利用されている。しかしながら、液晶表示装置は、有機ＥＬ（Ｅｌｅｃｔｒｏ  Ｌｕｍｉｎｅｓｃｅｎｃｅ）表示装置と比べてコントラスト比が低い。【０００３】
従来、液晶表示装置のコントラスト比を向上させる技術として、２枚の表示パネルを重ね合わせて、入力映像信号に基づいて、それぞれの表示パネルに画像を表示させる技術が提案されている（例えば特許文献１）。この技術は、前後に配置された２枚の表示パネルのうちの前面側（観察者側）の表示パネルにカラー画像を表示し、背面側（バックライト側）の表示パネルに白黒画像を表示することにより、コントラスト比の向上を図るものである。
【先行技術文献】
【特許文献】
【０００４】
【特許文献１】特開２００７−３１０１６１号公報
【発明の概要】
【発明が解決しようとする課題】
【０００５】
上記のように、複数の表示パネルを重ね合わせた液晶表示装置において、高画質で、さらに高いコントラスト比が要求されている。例えば、１００万対１程度のコントラスト比が要求されている。【０００６】
本開示は、複数の表示パネルを重ね合わせた液晶表示装置において、高いコントラスト比かつ高画質の画像を表示できる液晶表示装置を提供することを目的とする。
【課題を解決するための手段】
【０００７】
上記目的を達成するために、本開示に係る第１の液晶表示装置の一態様は、第１液晶セルと、前記第１液晶セルよりも観察者から遠い位置に配置される第２液晶セルと、各々が、偏光板及び位相差板が積層された光学シートであって、互いに同一部品である第１光学シート及び第２光学シートとを備え、前記第１液晶セル及び前記第２液晶セルの各々は、観察者側の面である前面と、前記前面に背向する背面とを有し、前記第１光学シートは前記第１液晶セルの前面側に配置され、かつ、前記第２光学シートは前記第２液晶セルの背面側に配置されている、又は、前記第１光学シートは前記第１液晶セルの背面側に配置され、かつ、前記第２光学シートは前記第２液晶セルの前面側に配置されている。【０００８】
また、本開示に係る第２の液晶表示装置の一態様は、第１液晶セルと、前記第１液晶セルよりも観察者から遠い位置に配置される第２液晶セルと、を備え、前記第１液晶セル及び前記第２液晶セルの各々は、観察者側の面である前面と、前記前面に背向する背面とを有し、前記第１液晶セルは、互いに対向する画素電極及び共通電極を含む第１ＴＦＴ基板と、前記第１ＴＦＴ基板に対向し、カラーフィルタ及び当該カラーフィルタを取り囲むブラックマトリックスを含む第１対向基板と、を有し、前記第２液晶セルは、互いに対向する画素電極及び共通電極を含む第２ＴＦＴ基板と、前記第２ＴＦＴ基板に対向し、ブラックマトリックスを含む第２対向基板と、を有し、前記第１液晶セルの第１対向基板は、前記第１ＴＦＴ基板よりも前記第１液晶セルの前面寄りに配置され、前記第２液晶セルの第２対向基板は、前記第２ＴＦＴ基板よりも前記第２液晶セルの背面寄りに配置されている。【０００９】
また、本開示に係る第３の液晶表示装置の一態様は、第１液晶セルと、前記第１液晶セルよりも観察者から遠い位置に配置される第２液晶セルと、を備え、前記第１液晶セル及び前記第２液晶セルの各々は、観察者側の面である前面と、前記前面に背向する背面とを有し、前記第１液晶セルは、互いに対向する画素電極及び共通電極を含む第１ＴＦＴ基板と、前記第１ＴＦＴ基板に対向し、カラーフィルタ及び当該カラーフィルタを取り囲むブラックマトリックスを含む第１対向基板と、前記第１ＴＦＴ基板と前記第１対向基板との間に配置された第１液晶層と、を有し、前記第２液晶セルは、互いに対向する画素電極及び共通電極を含む第２ＴＦＴ基板と、前記第２ＴＦＴ基板に対向し、ブラックマトリックスを含む第２対向基板と、前記第２ＴＦＴ基板と前記第２対向基板との間に配置された第２液晶層と、を有し、前記第１液晶層は、正の誘電異方性を有するポジ型液晶を含み、前記第２液晶層は、負の誘電異方性を有するネガ型液晶を含む。
【発明の効果】
【００１０】
本開示に係る第１の液晶表示装置の一態様によれば、複数の表示パネルに対して複数の位相差板を適切に配置することで、低コストで、高いコントラスト比かつ高画質の画像を表示できる。【００１１】
また、本開示に係る第２及び第３の液晶表示装置の一態様によれば、画像品位に優れた画像を表示できる。
【図面の簡単な説明】
【００１２】
【図１】図１は、実施の形態１に係る液晶表示装置の概略構成を示す図である。
【図２】図２は、実施の形態１に係る液晶表示装置の部分拡大断面図である。
【図３】図３は、実施の形態１に係る液晶表示装置における偏光板と位相差板との配置関係を示す図である。
【図４】図４は、比較例１の液晶表示装置の部分拡大断面図である。
【図５】図５は、比較例２の液晶表示装置の部分拡大断面図である。
【図６】図６は、実施の形態２に係る液晶表示装置の部分拡大断面図である。
【図７】図７は、実施の形態２に係る液晶表示装置における偏光板と位相差板との配置関係を示す図である。
【図８】図８は、位相差板を液晶セルのＣＦ基板側に配置した場合における黒画像の極角依存性を示す図である。
【図９】図９は、位相差板を液晶セルのＣＦ基板側に配置した場合に表示パネルを透過する光が受ける影響を説明するための図である。
【図１０】図１０は、位相差板を液晶セルの第１ＴＦＴ基板側に配置した場合における黒画像の極角依存性を示す図である。
【図１１】図１１は、位相差板を液晶セルの第１ＴＦＴ基板側に配置した場合に表示パネルを透過する光が受ける影響を説明するための図である。
【図１２Ａ】図１２Ａは、実施の形態２の変形例に係る液晶表示装置の第１表示パネルの第１ＴＦＴ基板の画素構成を示す平面図である。
【図１２Ｂ】図１２Ｂは、実施の形態２の変形例に係る液晶表示装置の第２表示パネルの第２ＴＦＴ基板の画素構成を示す平面図である。
【図１３】図１３は、図１２Ａ及び図１２ＢのXIII−XIII線における実施の形態２の変形例に係る液晶表示装置の断面図である。
【図１４】図１４は、図１２Ａ及び図１２ＢのXIV−XIV線における実施の形態２の変形例に係る液晶表示装置の断面図である。
【発明を実施するための形態】
【００１３】
以下、本開示の実施の形態について説明する。なお、以下に説明する実施の形態は、いずれも本開示の好ましい一具体例を示すものである。したがって、以下の実施の形態で示される、数値、形状、材料、構成要素、及び、構成要素の配置位置や接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１４】
各図は模式図であり、必ずしも厳密に図示されたものではない。したがって、各図において縮尺等は必ずしも一致していない。また、各図において、実質的に同一の構成に対しては同一の符号を付しており、重複する説明は省略又は簡略化する。なお、本明細書において、「略」又は「約」とは、製造誤差や寸法公差等を含むという意味である。
【００１５】
（実施の形態１）
まず、実施の形態１に係る液晶表示装置１について、図１を用いて説明する。図１は、実施の形態１に係る液晶表示装置１の概略構成を示す図である。
【００１６】
液晶表示装置１は、液晶セルを含む表示パネルを複数重ね合わせて構成された画像表示装置の一例であって、静止画像又は動画像の画像（映像）を表示する。
【００１７】
図１に示すように、本実施の形態における液晶表示装置１は、複数の表示パネルとして、観察者に近い位置（前側）に配置された第１表示パネル１００と、第１表示パネル１００より観察者から遠い位置（後側）に配置された第２表示パネル２００とを備える。
【００１８】
さらに、液晶表示装置１は、第１表示パネル１００及び第２表示パネル２００の後側に配置されたバックライト３００を備える。具体的に、バックライト３００は、第２表示パネル２００の後側に配置されている。
【００１９】
第１表示パネル１００は、メインパネルであって、ユーザが視認する画像を表示する。本実施の形態において、第１表示パネル１００は、カラー画像を表示する。第１表示パネル１００には、入力映像信号に応じたカラー画像を第１画像表示領域１１０に表示するために、第１ソースドライバ１２０及び第１ゲートドライバ１３０が設けられている。
【００２０】
第２表示パネル２００は、第１表示パネル１００の背面側に配置されるサブパネルである。本実施の形態において、第２表示パネル２００は、第１表示パネル１００に表示されるカラー画像に対応した画像のモノクロ画像（白黒画像）を、そのカラー画像に同期させて表示する。第２表示パネル２００には、入力映像信号に応じたモノクロ画像を第２画像表示領域２１０に表示するために、第２ソースドライバ２２０及び第２ゲートドライバ２３０が設けられている。
【００２１】
第１画像表示領域１１０及び第２画像表示領域２１０は、マトリクス状に配列された複数の画素を有する。第１画像表示領域１１０の画素数と第２画像表示領域２１０の画素数とは同じであってもよいし異なっていてもよいが、メインパネルである第１表示パネル１００における第１画像表示領域１１０の画素数を、サブパネルである第２表示パネル２００における第２画像表示領域２１０画素数よりも多くするとよい。
【００２２】
また、第１表示パネル１００及び第２表示パネル２００の駆動方式は、例えばＩＰＳ（Ｉｎ  Ｐｌａｎｅ  Ｓｗｉｔｃｈｉｎｇ）方式であるが、これに限るものではなく、ＶＡ（Ｖｅｒｔｉｃａｌ  Ａｌｉｇｎｍｅｎｔ）方式又はＴＮ（Ｔｗｉｓｔｅｄ  Ｎｅｍａｔｉｃ）方式等であってもよい。
【００２３】
バックライト３００は、第１表示パネル１００及び第２表示パネル２００に向けて光を照射する。バックライト３００は、散乱光（拡散光）をむらなく照射する面光源である。バックライト３００は、例えば、ＬＥＤ（Ｌｉｇｈｔ  Ｅｍｉｔｔｉｎｇ  Ｄｉｏｄｅ）を光源とするＬＥＤバックライトであるが、これに限るものではない。また、本実施の形態において、バックライト３００は、直下型であるが、エッジ型であってもよい。なお、バックライト３００は、光源からの光を拡散させるために拡散板（拡散シート）等の光学部材を有していてもよい。
【００２４】
液晶表示装置１は、さらに、第１表示パネル１００の第１ソースドライバ１２０及び第１ゲートドライバ１３０を制御する第１タイミングコントローラ１４０と、第２表示パネル２００の第２ソースドライバ２２０及び第２ゲートドライバ２３０を制御する第２タイミングコントローラ２４０と、第１タイミングコントローラ１４０及び第２タイミングコントローラ２４０に画像データを出力する画像処理部４００とを備える。
【００２５】
画像処理部４００は、外部のシステム（図示せず）から送信された入力映像信号Ｄａｔａを受信し、画像処理を実行した後、第１タイミングコントローラ１４０に第１画像データＤＡＴ１を出力し、第２タイミングコントローラ２４０に第２画像データＤＡＴ２を出力する。また画像処理部４００は、第１タイミングコントローラ１４０及び第２タイミングコントローラ２４０に同期信号等の制御信号（図１では省略）を出力する。第１画像データＤＡＴ１は、カラー表示用の画像データであり、第２画像データＤＡＴ２は、モノクロ表示用の画像データである。
【００２６】
また、本実施の形態において、カラー画像を表示する第１表示パネル１００の画像データのγ値の関数をＧ１（ｘ）とし、モノクロ画像を表示する第２表示パネル２００の画像データのγ値の関数をＧ２（ｘ）とすると、画像処理部４００は、少なくとも１つの階調ｘにおいて、Ｇ１（ｘ）＞Ｇ２（ｘ）の関係を満たすように画像処理を実行するとよい。具体的には、全階調において、Ｇ１（ｘ）＞Ｇ２（ｘ）の関係を満たしているとよい。つまり、各階調において、比透過率が第１表示パネル１００よりも第２表示パネル２００の方が大きくなるように画像処理を行い、第２表示パネル２００（サブパネル）を第１表示パネル１００（メインパネル）よりも高い階調となるように制御するとよい。このような画像処理によれば、斜め方向からの色づきを解消することができる。
【００２７】
このように、本実施の形態に係る液晶表示装置１では、第１表示パネル１００及び第２表示パネル２００の２つの表示パネルを重ね合わせて画像を表示しているので、黒を引き締めることができる。これにより、高コントラスト比の画像を表示することができる。また、液晶表示装置１は、例えばＨＤＲ（Ｈｉｇｈ  Ｄｙｎａｍｉｃ  Ｒａｎｇｅ）対応テレビであり、バックライト３００として、ローカルディミング対応の直下型ＬＥＤバックライトを用いてもよい。この場合、高コントラスト比かつ高画質のカラー画像を表示することができる。
【００２８】
なお、図示しないが、第１表示パネル１００及び第２表示パネル２００は互いに貼り合わされて、バックライト３００とともに、金属製又は樹脂製の保持部材（フレーム又はシャーシ）に保持される。
【００２９】
次に、図２を用いて、液晶表示装置１の詳細な構成を説明する。図２は、実施の形態に係る液晶表示装置１の部分拡大断面図である。
【００３０】
図２に示すように、液晶表示装置１は、第１液晶セル１０と、第２液晶セル２０と、第１光学シート３０と、第２光学シート４０と、第３光学シート５０と、第４光学シート６０とを備える。
【００３１】
第１表示パネル１００は、第１液晶セル１０と、第１光学シート３０と、第３光学シート５０とによって構成されている。また、第２表示パネル２００は、第２液晶セル２０と、第２光学シート４０と、第４光学シート６０とによって構成されている。
【００３２】
第１表示パネル１００の第１液晶セル１０は、観察者に近い位置（前側）に配置される。一方、第２表示パネル２００の第２液晶セル２０は、第１液晶セル１０よりも観察者から遠い位置（後側）に配置される。第１液晶セル１０及び第２液晶セル２０の各々は、観察者側の面である前面と、前面に背向する背面（後面）とを有する。
【００３３】
第１液晶セル１０は、第１ＴＦＴ（Ｔｈｉｎ  Ｆｉｌｍ  Ｔｒａｎｓｉｓｔｏｒ）基板１１と、第１ＴＦＴ基板１１に対向する第１対向基板１２と、第１ＴＦＴ基板１１と第１対向基板１２との間に配置された第１液晶層１３とを備える。本実施の形態において、第１対向基板１２は、第１ＴＦＴ基板１１よりも第１液晶セル１０の前面寄りに配置されている。
【００３４】
第１ＴＦＴ基板１１は、ガラス基板等の透明基板にＴＦＴ層（不図示）が形成された基板である。ＴＦＴ層には、ＴＦＴ及びＴＦＴを駆動する配線等が形成されている。ＴＦＴ層の平坦化層上には、第１液晶層１３に電圧を印加するための画素電極が形成されている。本実施の形態では第１表示パネル１００がＩＰＳ方式により駆動されるので、第１ＴＦＴ基板１１には、画素電極だけではなく、対向電極も形成されている。つまり、第１ＴＦＴ基板１１は、互いに対向する画素電極及び共通電極を含む。ＴＦＴ、画素電極及び対向電極は、画素ごとに形成されている。また、画素電極及び対向電極を覆うように配向膜が形成されている。
【００３５】
第１対向基板１２は、ガラス基板等の透明基板に第１画素形成層１２ａとしてカラーフィルタ層が形成されたＣＦ基板である。第１画素形成層１２ａは、ブラックマトリクス（黒色部）及びカラーフィルタ（着色部）を有する。ブラックマトリクスは、例えば格子状又はストライプ状に形成されており、ブラックマトリクスには、画素を構成するマトリクス状の複数の開口部が形成されている。ブラックマトリクスの各開口部内にはカラーフィルタが形成されている。つまり、ブラックマトリックスは、カラーフィルタを囲んでいる。各カラーフィルタは、例えば、赤色用のカラーフィルタ、緑色用のカラーフィルタ、又は、青色用のカラーフィルタである。各色のカラーフィルタは、各画素に対応している。なお、第１画素形成層１２ａを覆うようにオーバーコート層が形成されている。さらに、オーバーコート層の表面には配向膜が形成されている。
【００３６】
第１液晶層１３は、第１ＴＦＴ基板１１と第１対向基板１２との間に封止されている。第１液晶層１３の液晶材料は、駆動方式に応じて適宜選択することができる。この場合、第１液晶層１３の液晶材料としては、正の誘電異方性を有するポジ型液晶を用いてもよいし、負の誘電異方性を有するネガ型液晶を用いてもよい。
【００３７】
第２液晶セル２０は、第２ＴＦＴ基板２１と、第２ＴＦＴ基板２１に対向する第２対向基板２２と、第２ＴＦＴ基板２１と第２対向基板２２との間に配置された第２液晶層２３とを備える。本実施の形態において、第２対向基板２２は、第２ＴＦＴ基板２１よりも第２液晶セル２０の前面寄りに配置されているが、第２対向基板２２は、第２ＴＦＴ基板２１よりも第２液晶セル２０の背面寄りに配置されていてもよい。
【００３８】
第２ＴＦＴ基板２１は、第１ＴＦＴ基板１１と同様の構成であり、ガラス基板等の透明基板にＴＦＴ層（不図示）が形成された基板である。第２表示パネル２００は、第１表示パネル１００と同様にＩＰＳ方式により駆動されるので、第２ＴＦＴ基板２１は、互いに対向する画素電極及び共通電極を含む。
【００３９】
第２対向基板２２は、ガラス基板等の透明基板に第２画素形成層２２ａが形成された基板である。第２画素形成層２２ａは、画素を構成するマトリクス状の複数の開口部が形成されたブラックマトリクスを有する。第２画素形成層２２ａを覆うようにオーバーコート層が形成されている。さらに、オーバーコート層の表面には配向膜が形成されている。また、本実施の形態において、第２表示パネル２００はモノクロ画像を表示するので、第２画素形成層２２ａには、カラーフィルタが形成されていない。したがって、第２画素形成層２２ａのブラックマトリクスの開口部内にはオーバーコート層が充填されている。
【００４０】
第２液晶層２３は、第２ＴＦＴ基板２１と第２対向基板２２との間に封止されている。第２液晶層２３の液晶材料は、駆動方式に応じて適宜選択することができる。この場合、第２液晶層２３の液晶材料としては、正の誘電異方性を有するポジ型液晶を用いてもよいし、負の誘電異方性を有するネガ型液晶を用いてもよい。なお、第２液晶層２３の液晶材料は、第１液晶セル１０の第１液晶層１３の液晶材料と異なっていてもよい。例えば、第１液晶層１３がポジ型液晶を含むようにし、第２液晶層２３がネガ型液晶を含むようにしてもよいし、その逆であってもよい。
【００４１】
第１光学シート３０は、偏光板３１及び位相差板３２が積層された光学シートであり、少なくとも積層膜として偏光板３１と位相差板３２とを有する。第１光学シート３０は、偏光板３１及び位相差板３２を含む複数の積層膜が積層されて一体化された位相差板付き偏光フィルム（位相差板付き偏光板）である。
【００４２】
本実施の形態において、第１光学シート３０は、さらに、積層膜として、偏光板３１を挟む第１支持部材３４ａ及び第２支持部材３４ｂと、位相差板３２を挟む第１粘着層３５ａ及び第２粘着層３５ｂと、最外層として第１支持部材３４ａに設けられた保護層３６とを有する１枚の光学フィルムである。
【００４３】
第１光学シート３０においては、偏光板３１の吸収軸と位相差板３２の遅相軸とが略直交するように構成されているが、偏光板３１の吸収軸と位相差板３２の遅相軸とは直交していなくてもよい。例えば、偏光板３１の吸収軸と位相差板３２の遅相軸とは略平行であってもよい。
【００４４】
第２光学シート４０は、偏光板４１及び位相差板４２が積層された光学シートであり、少なくとも積層膜として偏光板４１と位相差板４２とを有する。第２光学シート４０は、第１光学シート３０と同様に、偏光板４１及び位相差板４２を含む複数の積層膜が積層されて一体化された位相差板付き偏光フィルムである。
【００４５】
本実施の形態において、第２光学シート４０は、さらに、積層膜として、偏光板４１を挟む第１支持部材４４ａ及び第２支持部材４４ｂと、位相差板４２を挟む第１粘着層４５ａ及び第２粘着層４５ｂと、最外層として第１支持部材４４ａに設けられた保護層４６とを有する１枚の光学フィルムである。
【００４６】
第２光学シート４０においては、第１光学シート３０と同様に、偏光板４１の吸収軸と位相差板４２の遅相軸とが略直交するように構成されているが、偏光板４１の吸収軸と位相差板４２の遅相軸とは直交していなくてもよい。例えば、偏光板４１の吸収軸と位相差板４２の遅相軸とは略平行であってもよい。
【００４７】
このように構成された第１光学シート３０及び第２光学シート４０は、互いに同一部品である。つまり、第１光学シート３０と第２光学シート４０とは同じ層構造になっており、第１光学シート３０及び第２光学シート４０の各々における積層膜は、同じ膜（層）が同じ順序で積層されている。このように、第１光学シート３０と第２光学シート４０を同じ部品にすることで、部品の共用化を図ることができ、コストを削減することができる。なお、第１光学シート３０と第２光学シート４０とは逆向きに配置されている。
【００４８】
本実施の形態において、第１光学シート３０は第１液晶セル１０の前面側に配置され、かつ、第２光学シート４０は第２液晶セル２０の背面側に配置されている。つまり、第１光学シート３０と第２光学シート４０とは、第１液晶セル１０及び第２液晶セル２０の両外側に位置するように配置されている。
【００４９】
具体的には、第１光学シート３０は、第１光学シート３０の第２粘着層３５ｂが第１液晶セル１０の前面に接着することで、第１液晶セル１０に貼り合わされている。また、第２光学シート４０は、第２光学シート４０の第２粘着層４５ｂが第２液晶セル２０の背面に接着することで、第２液晶セル２０に貼り合わされている。
【００５０】
第３光学シート５０は、少なくとも偏光板５１を有する光学シート（偏光フィルム）である。本実施の形態において、第３光学シート５０は、複数の積層膜によって構成されており、さらに、光拡散層５３と、偏光板５１及び光拡散層５３を順に挟む、第１支持部材５４ａ、第２支持部材５４ｂ及び第３支持部材５４ｃと、第１支持部材５４ａに設けられた粘着層５５と、最外層として第３支持部材５４ｃに設けられた保護層５６とを有する。
【００５１】
第４光学シート６０は、少なくとも偏光板６１を有する光学シート（偏光フィルム）である。本実施の形態において、第４光学シート６０は、複数の積層膜によって構成されており、さらに、光拡散層６３と、偏光板６１及び光拡散層６３を順に挟む、第１支持部材６４ａ、第２支持部材６４ｂ及び第３支持部材６４ｃと、第１支持部材６４ａに設けられた粘着層６５と、最外層として第３支持部材６４ｃに設けられた保護層６６とを有する。
【００５２】
このように構成された第３光学シート５０及び第４光学シート６０は、互いに同一部品である。つまり、第３光学シート５０と第４光学シート６０とは同じ層構造になっており、第３光学シート５０及び第４光学シート６０の各々における積層膜は、同じ膜（層）が同じ順序で積層されている。このように、第３光学シート５０と第４光学シート６０を同じ部品にすることで、部品の共用化を図ることができ、コストを削減することができる。なお、第３光学シート５０と第４光学シート６０とは逆向きに配置されている。
【００５３】
本実施の形態において、第３光学シート５０は第１液晶セル１０の背面側に配置され、第４光学シート６０は第２液晶セル２０の前面側に配置されている。つまり、第３光学シート５０と第４光学シート６０とは、第１液晶セル１０及び第２液晶セル２０の内側（第１液晶セル１０と第２液晶セル２０との間）に位置するように配置されている。
【００５４】
具体的には、第３光学シート５０は、第３光学シート５０の粘着層５５が第１液晶セル１０の背面に接着することで、第１液晶セル１０に貼り合わされている。また、第４光学シート６０は、第４光学シート６０の粘着層６５が第２液晶セル２０の前面に接着することで、第２液晶セル２０に貼り合わされている。
【００５５】
第１表示パネル１００において、第１光学シート３０及び第３光学シート５０は、第１液晶セル１０を挟むように第１液晶セル１０に貼り合わされている。この場合、第１光学シート３０及び第３光学シート５０は、偏光板３１及び偏光板５１の偏光方向が互いに直交するように配置されている。つまり、第１光学シート３０及び第３光学シート５０は、偏光板３１及び偏光板５１がクロスニコルの位置関係となるように配置されている。この場合、偏光板３１の吸収軸と偏光板５１の吸収軸とが直交している。
【００５６】
また、第２表示パネル２００において、第２光学シート４０及び第４光学シート６０は、第２液晶セル２０を挟むように第２液晶セル２０に貼り合わされている。この場合、第２光学シート４０及び第４光学シート６０は、偏光板４１及び偏光板６１の偏光方向が互いに直交するように配置されている。つまり、第２光学シート４０及び第４光学シート６０は、偏光板４１及び偏光板６１がクロスニコルの位置関係となるように配置されている。この場合、偏光板４１の吸収軸と偏光板６１の吸収軸とが直交している。
【００５７】
さらに、第１液晶セル１０及び第２液晶セル２０の内側に配置される第３光学シート５０及び第４光学シート６０は、第３光学シート５０の偏光板５１と第４光学シート６０の偏光板６１との偏向方向が一致するように配置する必要がある。つまり、偏光板５１の吸収軸と偏光板６１の吸収軸とを平行にする必要がある。
【００５８】
したがって、本実施の形態では、第１光学シート３０と第２光学シート４０とが同じ部品であり、また、第３光学シート５０と第４光学シート６０とが同じ部品であることから、液晶表示装置１における第１光学シート３０〜第４光学シート６０の４枚の光学シートについては、各光学シートの偏光板の吸収軸の向きに応じて、図３の（ａ）及び（ｂ）のいずれか一方の態様で配置されることになる。
【００５９】
これら第１光学シート３０〜第４光学シート６０において、偏光板３１、４１、５１及び６１の各々は、偏光子を含む。偏光子としては、例えばヨウ素等の二色性物質が吸着配向された樹脂フィルムが用いられる。偏光子に用いられる樹脂フィルムとしては、例えばポリビニルアルコール系樹脂フィルム（ＰＶＡフィルム）が用いられる。
【００６０】
また、第１光学シート３０及び第２光学シート４０において、位相差板３２及び４２は、第１液晶セル１０及び第２液晶セル２０の駆動方式に応じて、その屈折率特性が選択される。例えば、ＩＰＳ方式を採用する場合、位相差板３２及び４２の屈折率特性は、ｎｘ≧ｎｚ＞ｎｙの関係を満足するとよい。ここで、「ｎｘ」は面内の屈折率が最大になる方向（すなわち、遅相軸方向）の屈折率であり、「ｎｙ」は面内で遅相軸と直交する方向（すなわち、進相軸方向）の屈折率であり、「ｎｚ」は厚み方向の屈折率である。位相差板３２及び４２は、単層体であってもよいし、積層体であってもよい。また、位相差板３２及び４２は、例えば樹脂フィルムで構成されており、位相差板３２及び４２としては、リタデーション及びＮｚ係数が適切に設定されたものを用いることができる。
【００６１】
また、第３光学シート５０及び第４光学シート６０において、光拡散層５３及び６３は、例えば、アクリル系粘着剤等の透明粘着剤とこの透明粘着剤中に分散した光拡散性微粒子とによって構成された光拡散粘着剤である。一例として、光拡散層５３及び６３のヘイズ値は、８０％である。光拡散層５３及び６３は、第１液晶セル１０と第２液晶セル２０との間に配置されている。これにより、第１液晶セル１０と第２液晶セル２０との間において、第２液晶セル２０の第２画素形成層２２ａにおけるブラックマトリクスのパターン形状に起因してモアレが発生することを抑制できる。
【００６２】
また、第１光学シート３０〜第４光学シート６０において、第１支持部材３４ａ、４４ａ、５４ａ及び６４ａと、第２支持部材３４ｂ、４４ｂ、５４ｂ及び６４ｂと、第３支持部材５４ｃ及び６４ｃとは、例えば、ＴＡＣ（Ｔｒｉａｃｅｔｙｌｃｅｌｌｕｌｏｓｅ：トリアセチルセルロース）フィルム等の透明樹脂フィルムである。
【００６３】
また、第１光学シート３０〜第４光学シート６０において、第１粘着層３５ａ及び４５ａと、第２粘着層３５ｂ及び４５ｂと、粘着層５５及び６５とは、例えば粘着性を有する樹脂剤（粘着剤）である。
【００６４】
また、第１光学シート３０〜第４光学シート６０において、保護層３６、４６、５６及び６６は、例えば、反射防止機能を有する透明表面保護フィルムである。
【００６５】
ここで、本実施の形態における液晶表示装置１の光学作用について、図４及び図５と比較しながら、図２を用いて説明する。図４は、比較例１の液晶表示装置１Ｘの部分拡大断面図であり、図５は、比較例２の液晶表示装置１Ｙの部分拡大断面図である。
【００６６】
図４に示される比較例１の液晶表示装置１Ｘと、図２に示される実施の形態１における液晶表示装置１とでは、第２光学シートの構成が異なる。すなわち、図４に示す比較例１の液晶表示装置１Ｘで用いられる第２光学シート５０Ｘは、第３光学シート５０と同じ部品（つまり、第４光学シート６０とも同じ部品）であり、位相差板が含まれていない。したがって、比較例１の液晶表示装置１Ｘでは、位相差板としては、第１液晶セル１０の前面側に配置された位相差板３２のみが配置されている。
【００６７】
また、図５に示される比較例２の液晶表示装置１Ｙと、図２に示される実施の形態１における液晶表示装置１とでは、第１光学シートの構成が異なる。すなわち、図５に示される比較例２の液晶表示装置１Ｙで用いられる第１光学シート６０Ｙは、第４光学シート６０と同じ部品（つまり、第３光学シート５０とも同じ部品）であり、位相差板が含まれていない。したがって、比較例２の液晶表示装置１Ｙで用いられる位相差板は、第２液晶セル２０の背面側に配置された位相差板４２のみとなっている。
【００６８】
図４に示される比較例１の液晶表示装置１Ｘのように、偏光板３１と偏光板５１との間に位相差板３２を配置することで、ハローの発生を抑制できる。具体的には、位相差板３２を配置することによって、高輝度領域（例えば白表示領域）周辺における低輝度領域（例えば黒表示領域）において、第２表示パネル２００Ｘから第１表示パネル１００に入射する光のうち第１表示パネル１００内を斜め方向に進む光の位相差を位相差板３２で補償することで、当該光の意図せぬ透過（光漏れ）を抑制でき、この結果、ハローの発生を抑制できる。
【００６９】
ただし、第２液晶セル２０のブラックマトリクスのパターン形状に起因して発生するモアレを抑制するために、第１液晶セル１０と第２液晶セル２０との間に配置される第３光学シート５０又は第４光学シート６０には、光拡散層５３又は６３が含まれている。
【００７０】
このため、図４に示すように、第２表示パネル２００Ｘから第１表示パネル１００に向かう光（例えば白又はカラー表示の光）のうち斜め方向に進む光は、光拡散層５３又は６３で散乱し、その一部が正面方向（紙面上方向）に進行し、低輝度領域（例えば黒表示領域）に漏れ出てしまうことがある。この結果、黒画像が浮いて見えるという現象が生じ、コントラストが低下する。
【００７１】
これに対して、図５に示すように、比較例２の液晶表示装置１Ｙのように、第２表示パネル２００の偏光板４１と偏光板６１との間に位相差板４２を配置することで、第２表示パネル２００を斜め方向に透過しようとする光が、位相差板４２で位相差が補償されて偏光板６１で有効に遮光されることとなる。ゆえに、図４に示すような第２表示パネル２００を斜め方向に透過しようとする光が光拡散層５３又は６３で散乱して低輝度領域に漏れ出てしまうことを抑制できる。したがって、黒画像が浮いて見えることを抑制できる。
【００７２】
しかしながら、図５に示される比較例２の液晶表示装置１Ｙでは、第２液晶セル２０の背面側に配置された１つのみの位相差板４２しか用いられていない。このため、図５に示すように、第２表示パネル２００から第１表示パネル１００Ｙに入射する光（例えば白又はカラー表示の光）のうち第１表示パネル１００Ｙ内を斜め方向に進む光（光拡散層５３又は６３により不可避的に発生し得る）が第１表示パネル１００Ｙから抜けてしまう。この場合、例えば白表示領域周辺における黒表示領域に光が抜けてしまうことが発生し、白線等の白表示部分がぼける。このため、画像品質が劣化する。
【００７３】
これに対して、図２に示すように、本実施の形態における液晶表示装置１では、２つの位相差板３２及び４２を用いている。具体的には、第１表示パネル１００の偏光板３１と偏光板５１との間に位相差板３２を配置し、第２表示パネル２００の偏光板４１と偏光板６１との間に位相差板４２を配置している。とりわけ、位相差板３２（第１位相差板）は、第１液晶セル１０の前面側（観察者側）に配置されている。また、位相差板４２（第２位相差板）は、第２液晶セル２０の背面側（バックライト３００側）に配置されている。つまり、第１液晶セル１０と第２液晶セル２０の両外側の各々に１つずつ位相差板が配置されている。
【００７４】
これにより、位相差板３２によって、図５のように第２表示パネル２００から第１表示パネル１００に入射する光（例えば白又はカラー表示の光）のうち第１表示パネル１００内を斜め方向に進む光が第１表示パネル１００から抜けてしまう（漏れ出てしまう）ことを抑制でき、結果として、ハローの発生を抑制できる。
【００７５】
また、位相差板４２によって、図４のように第２表示パネル２００を斜め方向に透過する光そのものを大幅に減らすことができるので、第１液晶セル１０と第２液晶セル２０との間に光拡散層５３又は６３が配置されていても、斜め方向に進むが光拡散層５３又は６３で散乱して低輝度領域に漏れ出てしまうことを抑制できる。したがって、黒画像が浮いて見えることを抑制でき、高いコントラスト比を実現できる。
【００７６】
例えば、図４に示される比較例１の液晶表示装置１Ｘのように、１つの位相差板３２のみを第１液晶セル１０の前面側に配置した場合、コントラスト比は約３７万対１であった。一方、図２に示される実施の形態１の液晶表示装置１のように、２つの位相差板３２及び４２を用いた場合、約１３０万対１の高いコントラスト比を実現することができた。
【００７７】
以上、本実施の形態における液晶表示装置１は、観察者に近い位置に配置される第１液晶セル１０と、第１液晶セル１０よりも観察者から遠い位置に配置される第２液晶セル２０と、各々が、偏光板３１（又は４１）及び位相差板３２（又は４２）が積層された光学シートであって、互いに同一部品である第１光学シート３０及び第２光学シート４０とを備えており、第１光学シート３０は第１液晶セル１０の前面側に配置され、かつ、第２光学シート４０は第２液晶セル２０の背面側に配置されている。
【００７８】
この構成により、ハローの発生を抑制しつつ、高いコントラスト比かつ高画質の画像を表示できる液晶表示装置１を低コストで実現することができる。
【００７９】
（実施の形態２）
次に、実施の形態２に係る液晶表示装置１Ａについて、図６を用いて説明する。図６は、実施の形態２に係る液晶表示装置１Ａの部分拡大断面図である。
【００８０】
本実施の形態における液晶表示装置１Ａと上記実施の形態１における液晶表示装置１とでは、まず、第１光学シート及び第２光学シートの位置と構造が異なる。
【００８１】
すなわち、図２に示すように、上記実施の形態１における液晶表示装置１では、第１光学シート３０及び第２光学シート４０が第１液晶セル１０及び第２液晶セル２０の両外側に配置されていたが、図６に示すように、本実施の形態における液晶表示装置１Ａでは、第１光学シート３０Ａ及び第２光学シート４０Ａが第１液晶セル１０及び第２液晶セル２０の内側に配置されている。つまり、本実施の形態では、２つの位相差板３２及び４２が第１液晶セル１０及び第２液晶セル２０の内側に配置されている。
【００８２】
さらに、図２に示すように、上記実施の形態１における液晶表示装置１では、第１光学シート３０及び第２光学シート４０に光拡散層が含まれていなかったのに対して、図６に示すように、本実施の形態における液晶表示装置１Ａでは、第１光学シート３０Ａに光拡散層３３が含まれているとともに第２光学シート４０Ａに光拡散層４３が含まれている。
【００８３】
なお、本実施の形態における液晶表示装置１Ａと上記実施の形態１における液晶表示装置１とでは、さらに、第３光学シート及び第４光学シートの位置と構造も異なる。
【００８４】
以下、実施の形態１における液晶表示装置１と異なる点を中心に、本実施の形態における液晶表示装置１Ａの詳細な構成を説明する。
【００８５】
図６に示すように、液晶表示装置１Ａは、第１表示パネル１００Ａと、第２表示パネル２００Ａと、バックライト３００とを備える。また、液晶表示装置１Ａは、第１液晶セル１０と、第２液晶セル２０と、第１光学シート３０Ａと、第２光学シート４０Ａと、第３光学シート５０Ａと、第４光学シート６０Ａとを備える。
【００８６】
第１表示パネル１００Ａは、第１液晶セル１０と、第１光学シート３０Ａと、第３光学シート５０Ａとによって構成されている。また、第２表示パネル２００Ａは、第２液晶セル２０と、第２光学シート４０Ａと、第４光学シート６０Ａとによって構成されている。
【００８７】
第１光学シート３０Ａは、実施の形態１の第１光学シート３０と同様に、偏光板３１及び位相差板３２を含む複数の積層膜が積層されて一体化された光学シートである。本実施の形態における第１光学シート３０Ａは、さらに、積層膜として、偏光板３１及び位相差板３２に積層された光拡散層３３を有する。
【００８８】
より具体的には、第１光学シート３０Ａは、偏光板３１と、位相差板３２と、光拡散層３３と、光拡散層３３及び偏光板３１を順に挟む、第１支持部材３４ａ、第２支持部材３４ｂ及び第３支持部材３４ｃと、位相差板３２を挟む第１粘着層３５ａ及び第２粘着層３５ｂと、最外層として第１支持部材３４ａに設けられた保護層３６とを有する１枚の光学フィルムである。
【００８９】
本実施の形態における第１光学シート３０Ａでは、実施の形態１と同様に、偏光板３１の吸収軸と位相差板３２の遅相軸とが略直交するように構成されているが、偏光板３１の吸収軸と位相差板３２の遅相軸とは直交していなくてもよい。
【００９０】
第２光学シート４０Ａは、実施の形態１の第２光学シート４０と同様に、偏光板４１及び位相差板４２を含む複数の積層膜が積層された一体化された光学シートである。本実施の形態における第２光学シート４０Ａは、さらに、積層膜として、偏光板４１及び位相差板４２に積層された光拡散層４３を有する。
【００９１】
より具体的には、第２光学シート４０Ａは、偏光板４１と、位相差板４２と、光拡散層４３と、光拡散層４３及び偏光板４１を順に挟む、第１支持部材４４ａ、第２支持部材４４ｂ及び第３支持部材４４ｃと、位相差板４２を挟む第１粘着層４５ａ及び第２粘着層４５ｂと、最外層として第１支持部材４４ａに設けられた保護層４６とを有する１枚の光学フィルムである。
【００９２】
本実施の形態における第２光学シート４０Ａでは、第１光学シート３０Ａと同様に、偏光板４１の吸収軸と位相差板４２の遅相軸とが略直交するように構成されているが、偏光板４１の吸収軸と位相差板４２の遅相軸とは直交していなくてもよい。
【００９３】
このように構成された第１光学シート３０Ａ及び第２光学シート４０Ａは、互いに同一部品である。つまり、第１光学シート３０Ａと第２光学シート４０Ａとは同じ層構造になっており、第１光学シート３０Ａ及び第２光学シート４０Ａの各々における積層膜は、同じ膜（層）が同じ順序で積層されている。このように、第１光学シート３０Ａと第２光学シート４０Ａを同じ部品にすることで、部品の共用化を図ることができ、コストを削減することができる。なお、第１光学シート３０Ａと第２光学シート４０Ａとは逆向きに配置されている。
【００９４】
本実施の形態では、実施の形態１と異なり、第１光学シート３０Ａは、第１液晶セル１０の背面側に配置され、かつ、第２光学シート４０Ａは、第２液晶セル２０の前面側に配置されている。つまり、第１光学シート３０Ａと第２光学シート４０Ａとは、第１液晶セル１０及び第２液晶セル２０の内側（第１液晶セル１０と第２液晶セル２０との間）に位置するように配置されている。
【００９５】
具体的には、第１光学シート３０Ａは、第１光学シート３０Ａの第２粘着層３５ｂが第１液晶セル１０の背面に接着することで、第１液晶セル１０に貼り合わされている。この場合、第１液晶セル１０の前面側から背面側に向かって、第２粘着層３５ｂ、位相差板３２、第１粘着層３５ａ、第３支持部材３４ｃ、偏光板３１、第２支持部材３４ｂ、光拡散層３３、第１支持部材３４ａ、保護層３６が、この順で並ぶ。また、第２光学シート４０Ａは、第２光学シート４０Ａの第２粘着層４５ｂが第２液晶セル２０の前面に接着することで、第２液晶セル２０に貼り合わされている。この場合、第２液晶セル２０の前面側から背面側に向かって、保護層４６、第１支持部材４４ａ、光拡散層４３、第２支持部材４４ｂ、偏光板４１、第３支持部材４４ｃ、第１粘着層４５ａ、位相差板４２及び第２粘着層４５ｂが、この順で並ぶ。
【００９６】
第３光学シート５０Ａは、少なくとも偏光板５１を有する光学シート（偏光フィルム）である。本実施の形態において、第３光学シート５０Ａは、複数の積層膜によって構成されており、さらに、偏光板５１を挟む第１支持部材５４ａ及び第２支持部材５４ｂと、第１支持部材５４ａに設けられた粘着層５５と、最外層として第２支持部材５４ｂに設けられた保護層５６とを有する。
【００９７】
第４光学シート６０Ａは、少なくとも偏光板６１を有する光学シート（偏光フィルム）である。本実施の形態において、第４光学シート６０Ａは、複数の積層膜によって構成されており、さらに、偏光板６１を挟む第１支持部材６４ａ及び第２支持部材６４ｂと、第１支持部材６４ａに設けられた粘着層６５と、最外層として第２支持部材６４ｂに設けられた保護層６６とを有する。
【００９８】
このように構成された第３光学シート５０Ａ及び第４光学シート６０Ａは、互いに同一部品である。つまり、第３光学シート５０Ａと第４光学シート６０Ａとは同じ層構造になっており、第３光学シート５０Ａ及び第４光学シート６０Ａの各々における積層膜は、同じ膜（層）が同じ順序で積層されている。このように、第３光学シート５０Ａと第４光学シート６０Ａを同じ部品にすることで、部品の共用化を図ることができ、コストを削減することができる。なお、第３光学シート５０Ａと第４光学シート６０Ａとは逆向きに配置されている。
【００９９】
本実施の形態では、実施の形態１と異なり、第３光学シート５０Ａは第１液晶セル１０の前面側に配置され、第４光学シート６０Ａは第２液晶セル２０の背面側に配置されている。つまり、第３光学シート５０Ａと第４光学シート６０Ａとは、第１液晶セル１０及び第２液晶セル２０の両外側に位置するように配置されている。
【０１００】
具体的には、第３光学シート５０Ａは、第３光学シート５０Ａの粘着層５５が第１液晶セル１０の前面に接着することで、第１液晶セル１０に貼り合わされている。また、第４光学シート６０Ａは、第４光学シート６０Ａの粘着層６５が第２液晶セル２０の前面に接着することで、第２液晶セル２０に貼り合わされている。
【０１０１】
第１表示パネル１００Ａにおいて、第１光学シート３０Ａ及び第３光学シート５０Ａは、第１液晶セル１０を挟むように第１液晶セル１０に貼り合わされている。この場合、第１光学シート３０Ａ及び第３光学シート５０Ａは、偏光板３１及び偏光板５１の偏光方向が互いに直交するように配置されており、偏光板３１の吸収軸と偏光板５１の吸収軸とが直交している。
【０１０２】
また、第２表示パネル２００Ａにおいて、第２光学シート４０Ａ及び第４光学シート６０Ａは、第２液晶セル２０を挟むように第２液晶セル２０に貼り合わされている。この場合、第２光学シート４０Ａ及び第４光学シート６０Ａは、偏光板４１及び偏光板６１の偏光方向が互いに直交するように配置されており、偏光板４１の吸収軸と偏光板６１の吸収軸とが直交している。
【０１０３】
本実施の形態でも、第１液晶セル１０及び第２液晶セル２０の内側に配置される第３光学シート５０Ａ及び第４光学シート６０Ａは、第３光学シート５０Ａの偏光板５１と第４光学シート６０Ａの偏光板６１との偏向方向が一致するように配置する必要がある。つまり、偏光板５１の吸収軸と偏光板６１の吸収軸とを平行にする必要がある。
【０１０４】
したがって、本実施の形態でも、第１光学シート３０Ａと第２光学シート４０Ａとが同じ部品であり、また、第３光学シート５０Ａと第４光学シート６０Ａとが同じ部品であることから、液晶表示装置１Ａにおける第１光学シート３０Ａ〜第４光学シート６０Ａの４枚の光学シートについては、各光学シートの偏光板の吸収軸の向きに応じて、図７の（ａ）及び（ｂ）のいずれか一方の態様で配置されることになる。
【０１０５】
なお、第１光学シート３０Ａ〜第４光学シート６０Ａを構成する各積層膜（偏光板３１、４１、５１及び６１、位相差板３２及び４２、光拡散層３３及び４３等）としては、実施の形態１における第１光学シート３０〜第４光学シート６０を構成する各積層膜と同じものを用いることができる。
【０１０６】
ここで、本実施の形態における液晶表示装置１Ａの光学作用について、図２に示す実施の形態１の液晶表示装置１と比較して説明する。
【０１０７】
本願発明者らの検討により、図２に示される第１表示パネル１００のように、位相差板（第１光学シート３０）を液晶セルの対向基板（ＣＦ基板）側に配置すると、図８に示すように、斜め方向から表示パネルを見た場合（斜視の場合）に色シフトが発生することが分かった。
【０１０８】
図８は、位相差板を液晶セルのＣＦ基板側に配置した場合における黒画像の極角依存性を示す図である。図８では、方位角が４５°の場合（実線）と１３５°の場合（破線）とについて、極角を０°〜８０°に変化させたときの０階調（黒）における色度の変化を示している。
【０１０９】
図８に示すように、位相差板を液晶セルのＣＦ基板側に配置すると、極角が大きくなるにつれて色度が赤色にシフトすることが分かった。つまり、黒画像を表示しているにもかかわらず、赤色を帯びた画像に見えてしまう。このように、位相差板を液晶セルのＣＦ基板側に配置すると斜視の場合に色シフト（色ずれ）が生じる。
【０１１０】
本願発明者らは、この原因について鋭意検討した結果、以下のことが理由で色シフトが発生することが分かった。この点について、図９を用いて説明する。図９は、位相差板を液晶セルのＣＦ基板側に配置した場合に表示パネルを透過する光が受ける影響を説明するための図である。
【０１１１】
図９に示すように、位相差板３２（図２参照）を含む第１光学シート３０を第１液晶セル１０の第１対向基板１２（ＣＦ基板）側、つまり第１液晶セル１０の前面側に配置した場合、第１表示パネル１００を通過する光は、第１対向基板１２の第１画素形成層１２ａにおけるカラーフィルタの位相差で変化する。このため、第１光学シート３０の位相差板３２では、カラーフィルタの位相差で変化した光の位相差が変化するので、カラーフィルタに依存した位相差によって光の状態が異なってしまう。このことが原因となって、図８に示すような斜視の場合に色シフトが発生すると考えられる。
【０１１２】
そこで、位相差板を液晶セルの対向基板（ＣＦ基板）側に配置する場合には、カラーフィルタの品種ごとに位相差板を設計する対策を施すことで上記色シフトを解消することができると考えられる。
【０１１３】
しかしながら、このような対策では、カラーフィルタが持つ位相差に最適な位相差板の設計が必要になるばかりか、カラーフィルタの品種ごとに異なる種類の位相差板も必要となり、コスト高になってしまう。
【０１１４】
これに対して、位相差板を液晶セルのＴＦＴ基板側に配置すると、図１０に示すように、色シフトを抑制できることが分かった。図１０は、位相差板を液晶セルのＴＦＴ基板側に配置した場合における黒画像の極角依存性を示す図である。図１０でも、図９と同様に、方位角が４５°の場合（実線）と１３５°の場合（破線）とについて、極角を０°〜８０°に変化させたときの０階調（黒）における色度の変化を示している。
【０１１５】
図１０に示すように、位相差板を液晶セルのＴＦＴ基板側に配置した場合には、極角が大きくなっても色度があまりシフトせず、色シフトが抑制されていることが分かる。
【０１１６】
これは、図１１に示すように、位相差板３２（図６参照）を含む第１光学シート３０Ａを第１液晶セル１０の第１ＴＦＴ基板１１側（第１液晶セル１０の背面側）に配置した場合、第１表示パネル１００Ａを通過する光は、まず、第１光学シート３０Ａの位相差板３２で位相差が変化して視野角が改善し、その後、第１対向基板１２（ＣＦ基板）の第１画素形成層１２ａにおけるカラーフィルタの位相差で変化するからである。すなわち、位相差板３２で位相差を補償された後の光がその後カラーフィルタを通過しても、カラーフィルタによる位相差の変化が小さくなるため、色シフトが起こり難い。このように、位相差板３２を含む第１光学シート３０Ａを第１液晶セル１０の前面側ではなく背面側に配置することで、図１０に示すように、色シフトを抑制することができる。
【０１１７】
なお、モノクロ画像を表示する第２表示パネル２００Ａについては、位相差板を含む光学シートを第２液晶セルの対向基板側に配置した場合であってもＴＦＴ基板側に配置した場合であっても、いずれの場合も、図１０と同様に色シフトは小さかった。これは、第２表示パネル２００Ａはカラーフィルタを含まないため、いずれの場合も、位相差板３２による位相差の補償に大きく悪影響を及ぼす要素がないからである。
【０１１８】
以上、本実施の形態おける液晶表示装置１Ａは、観察者に近い位置に配置される第１液晶セル１０と、第１液晶セル１０よりも観察者から遠い位置に配置される第２液晶セル２０と、各々が、偏光板３１（又は４１）及び位相差板３２（又は４２）が積層された光学シートであって、互いに同一部品である第１光学シート３０Ａ及び第２光学シート４０Ａとを備えており、第１光学シート３０Ａは第１液晶セル１０の背面側に配置され、かつ、第２光学シート４０Ａは第２液晶セル２０の前面側に配置されている。
【０１１９】
この構成により、実施の形態１と同様に、ハローの発生を抑制しつつ、高いコントラスト比かつ高画質の画像を表示できる液晶表示装置１Ａを低コストで実現することができる。
【０１２０】
さらに、本実施の形態では、第１光学シート３０Ａが第１液晶セル１０の背面側に配置されているので、実施の形態１と比べて、斜視の場合の色シフトを抑制することができる。
【０１２１】
また、本実施の形態において、第１光学シート３０Ａは、さらに、偏光板３１及び位相差板３２に積層された光拡散層３３を有する。また、第２光学シート４０Ａは、偏光板４１及び位相差板４２に積層された光拡散層４３を有する。
【０１２２】
この構成により、第１光学シート３０Ａ及び第２光学シート４０Ａが第１液晶セル１０と第２液晶セル２０との間に配置されることで、光拡散層３３及び４３も第１液晶セル１０と第２液晶セル２０との間に挿入されることになる。これにより、光拡散層３３及び４３によって、第２液晶セル２０の第２画素形成層２２ａにおけるブラックマトリクスのパターン形状に起因するモアレの発生を抑制できる。したがって、偏光板、位相差板及び光拡散板が一体化された第１光学シート３０Ａ及び第２光学シート４０Ａを、第１液晶セル１０と第２液晶セル２０との間に配置するだけで、ハローの発生を抑制しつつ、高いコントラスト比で高画質の画像を表示できる液晶表示装置１Ａをより低コストで実現することができる。なお、図６に示される実施の形態２の液晶表示装置１Ａのように、２つの位相差板３２及び４２を第１液晶セル１０と第２液晶セル２０との間に配置した場合、約１００万対１の高いコントラスト比を実現することができた。
【０１２３】
また、本実施の形態における液晶表示装置１Ａでは、第１光学シート３０Ａにおいて、偏光板３１の吸収軸と位相差板３２の遅相軸とが略直交している。また、第２光学シート４０Ａにおいて、偏光板４１の吸収軸と位相差板４２の遅相軸とが略直交している。
【０１２４】
この構成により、図で説明したような色シフトをより改善することができる。
【０１２５】
（実施の形態２の変形例）
次に、実施の形態２の変形例について、図１２Ａ、図１２Ｂ、図１３及び図１４を用いて説明する。図１２Ａは、実施の形態２の変形例に係る液晶表示装置の第１表示パネル１００Ａの第１ＴＦＴ基板１１の画素構成を示す平面図である。図１２Ｂは、実施の形態２の変形例に係る液晶表示装置の第２表示パネル２００Ａの第２ＴＦＴ基板２１の画素構成を示す平面図である。図１３は、図１２Ａ及び図１２ＢのXIII−XIII線における同液晶表示装置の断面図である。図１４は、図１２Ａ及び図１２ＢのXIV−XIV線における同液晶表示装置の断面図である。
【０１２６】
図１２Ａ〜図１４に示される本変形例における液晶表示装置は、図７に示される２つの態様の実施の形態２に係る液晶表示装置１Ａのうち図７の（ｂ）に示す態様であり、かつ、上側の第１表示パネル１００Ａの第１液晶セル１０における第１液晶層１３の液晶材料をポジ型液晶にするとともに下側の第２表示パネル２００Ａの第２液晶セル２０における第２液晶層２３の液晶材料をネガ型液晶にした構成である。
【０１２７】
さらに、本変形例における液晶表示装置では、上記実施の形態２に係る液晶表示装置１Ａとは、第２表示パネル２００Ａにおける第２液晶セル２０の第２対向基板２２の配置が異なっている。具体的には、上記実施の形態２に係る液晶表示装置１Ａでは、第２液晶セル２０の第２対向基板２２は、第２ＴＦＴ基板２１よりも第２液晶セル２０の前面寄りに配置されていたが、図１３及び図１４に示すように、本変形例における液晶表示装置では、第２液晶セル２０の第２対向基板２２は、第２ＴＦＴ基板２１よりも第２液晶セル２０の背面寄りに配置されている。
【０１２８】
以下、本変形例における液晶表示装置の詳細な構造について、図１２Ａ〜図１４を用いて説明する。
【０１２９】
図１２Ａに示すように、第１表示パネル１００Ａの第１ＴＦＴ基板１１には、第１方向（本変形例では列方向）に延在する複数のソース線ＳＬ１と、第１方向とは異なる第２方向（本変形例では行方向）に延在する複数のゲート線ＧＬ１とが形成されている。本変形例では、第１方向は、位相差板３２の遅相軸に沿っており、第２方向は、偏光板３１の吸収軸に沿っている。また、複数のソース線ＳＬ１と複数のゲート線ＧＬ１とのそれぞれの交差部近傍にＴＦＴ１が形成されている。第１表示パネル１００Ａを平面視した場合に、隣り合う２本のソース線ＳＬ１と隣り合う２本のゲート線ＧＬ１とにより囲まれる領域が１つの画素として規定され、当該画素がマトリクス状（行方向及び列方向）に複数配置されている。具体的には、複数の画素には、赤色用の赤色画素（Ｒ）と、緑色用の緑色画素（Ｇ）と、青色用の青色画素（Ｂ）とが含まれている。
【０１３０】
図１２Ａ、図１３及び図１４に示すように、第１ＴＦＴ基板１１には、画素ごとに画素電極ＰＸ１が形成されているとともに、複数の画素に共通する１つの共通電極ＣＴ１が形成されている。図１２Ａに示すように、第１ＴＦＴ基板１１の画素電極ＰＸ１には、第１光学シート３０Ａの偏光板３１の吸収軸よりも第１光学シート３０の位相差板３２の遅相軸となす角度が小さい方向に沿って延びる複数のスリットＳＬＩＴ１が形成されている。本変形例では、複数のスリットＳＬＩＴ１は、第１光学シート３０Ａの位相差板３２の遅相軸に概ね平行な方向に沿って形成されている。また、第１ＴＦＴ基板１１において、ＴＦＴ１のソース電極Ｓ１はソース線ＳＬ１に電気的に接続され、ＴＦＴ１のドレイン電極Ｄ１はコンタクトホールを介して画素電極ＰＸ１に電気的に接続され、ゲート電極はゲート線ＧＬ１に電気的に接続されている。 
【０１３１】
なお、第１ＴＦＴ基板１１では、ゲート線ＧＬ１を覆うようにゲート絶縁膜ＧＳＮ１が形成され、ソース線ＳＬ１を覆うように保護膜ＰＡＳ１及び有機膜ＯＰＡＳ１が形成されている。また、有機膜ＯＰＡＳ１上に共通電極ＣＴ１が形成され、共通電極ＣＴ１を覆うように保護膜ＵＰＡＳ１が形成されている。画素電極ＰＸ１は保護膜ＵＰＡＳ１上に形成されており、画素電極ＰＸ１を覆うように配向膜（図示せず）が形成されている。
【０１３２】
第１表示パネル１００Ａの第２対向基板１２には、各画素に対応する複数のカラーフィルタとブラックマトリクスＢＭ１とが形成されている。各画素のカラーフィルタは、赤色（Ｒ色）の材料で形成され、赤色の光を透過する赤色カラーフィルタＦＩＬＲ（赤色層）と、緑色（Ｇ色）の材料で形成され、緑色の光を透過する緑色カラーフィルタＦＩＬＧ（緑色層）と、青色（Ｂ色）の材料で形成され、青色の光を透過する青色カラーフィルタＦＩＬＢ（青色層）とを含んでいる。赤色カラーフィルタＦＩＬＲ、緑色カラーフィルタＦＩＬＧ、及び、青色カラーフィルタＦＩＬＢは、行方向にこの順に繰り返し配列されている。また、同一色のカラーフィルタが列方向に配列されており、行方向及び列方向に隣り合うカラーフィルタの境界部分にブラックマトリクスＢＭ１が形成されている。各カラーフィルタに対応して、複数の画素は、赤色カラーフィルタＦＩＬＲに対応する赤色画素（Ｒ）と、緑色カラーフィルタＦＩＬＧに対応する緑色画素（Ｂ）と、青色カラーフィルタＦＩＬＢに対応する青色画素（Ｂ）とを含んでいる。第１表示パネル１００Ａでは、赤色画素、緑色画素及び青色画素が行方向にこの順に繰り返し配列されており、列方向には同一色の画素が配列されている。なお、複数の画素は、黄色カラーフィルタに対応する黄色画素又はカラーフィルタが形成されない白色画素を含んでもよい。
【０１３３】
なお、第１対向基板１２では、カラーフィルタ（赤色カラーフィルタＦＩＬＲ、緑色カラーフィルタＦＩＬＧ、青色カラーフィルタＦＩＬＢ）の表面にオーバーコート膜ＯＣ１が被覆されており、オーバーコート膜ＯＣ１上に配向膜（図示せず）が形成されている。
【０１３４】
また、図１２Ｂに示すように、第２表示パネル２００Ａの第２ＴＦＴ基板２１には、第１方向（本変形例では列方向）に延在する複数のソース線ＳＬ２と、第１方向とは異なる第２方向（本変形例では行方向）に延在する複数のゲート線ＧＬ２とが形成されている。本変形例では、第１方向は位相差板４２の遅相軸にも沿っており、第２方向は、偏光板４１の吸収軸にも沿っている。また、複数のソース線ＳＬ２と複数のゲート線ＧＬ２とのそれぞれの交差部近傍にＴＦＴ２が形成されている。第２表示パネル２００Ａを平面視した場合に、隣り合う２本のソース線ＳＬ２と隣り合う２本のゲート線ＧＬ２とにより囲まれる領域が１つの画素として規定され、当該画素がマトリクス状（行方向及び列方向）に複数配置されている。なお、第２表示パネル２００Ａにおける１つの画素は、第１表示パネル１００Ａにおける画素の３つ分に対応している。
【０１３５】
図１２Ｂ、図１３及び図１４に示すように、第２ＴＦＴ基板２１には、画素ごとに画素電極ＰＸ２が形成されているとともに、複数の画素に共通する１つの共通電極ＣＴ２が形成されている。図１２Ｂに示すように、第２ＴＦＴ基板２１の画素電極ＰＸ２には、第２光学シート４０Ａの偏光板４１の吸収軸よりも第２光学シート４０の位相差板４２の遅相軸となす角度が大きい方向に沿って延びる複数のスリットＳＬＩＴ２が形成されている。本変形例では、複数のスリットＳＬＩＴ２は、第２光学シート４０Ａの偏光板４１の吸収軸に概ね平行な方向に沿って形成されている。また、第２ＴＦＴ基板２１において、ＴＦＴ２のソース電極Ｓ２はソース線ＳＬ２に電気的に接続され、ＴＦＴ２のドレイン電極Ｄ２はコンタクトホールを介して画素電極ＰＸ２に電気的に接続され、ゲート電極はゲート線ＧＬ２に電気的に接続されている。
【０１３６】
なお、第２ＴＦＴ基板２１では、ゲート線ＧＬ２を覆うようにゲート絶縁膜ＧＳＮ２が形成され、ソース線ＳＬ２を覆うように保護膜ＰＡＳ２及び有機膜ＯＰＡＳ２が形成されている。また、有機膜ＯＰＡＳ２上に共通電極ＣＴ２が形成され、共通電極ＣＴ２を覆うように保護膜ＵＰＡＳ２が形成されている。画素電極ＰＸ２は保護膜ＵＰＡＳ２上に形成されており、画素電極ＰＸ２を覆うように配向膜（図示せず）が形成されている。
【０１３７】
また、第２表示パネル２００Ａの第２対向基板２２には、ブラックマトリクスＢＭ２が形成されている。なお、第２対向基板２２には、カラーフィルタは形成されていない。第２対向基板２２では、ブラックマトリクスＢＭ２を覆うようにオーバーコート膜ＯＣ２が形成され、オーバーコート膜ＯＣ２上に配向膜（図示せず）が形成されている。
【０１３８】
以上、本変形例に係る液晶表示装置によれば、第１表示パネル１００Ａ及び第２表示パネル２００Ａに対して位相差板が適切に配置されているので、上記実施の形態２における液晶表示装置１Ａと同様に、低コストで、高いコントラスト比かつ高画質の画像を表示できる等の効果を奏する。
【０１３９】
また、本変形例に係る液晶表示装置では、第１液晶セル１０の第１対向基板１２が、第１ＴＦＴ基板１１よりも第１液晶セル１０の前面寄りに配置されているとともに、第２液晶セル２０の第２対向基板２２が、第２ＴＦＴ基板２１よりも第２液晶セル２０の背面寄りに配置されている。これにより、画像品位に優れた画像を表示できる液晶表示装置を実現できる。
【０１４０】
また、本変形例に係る液晶表示装置では、第１液晶セル１０の第１液晶層１３の液晶材料がポジ型液晶であり、第２液晶セル２０の第２液晶層２３の液晶材料がネガ型液晶である。第２液晶層２３の液晶材料にネガ型液晶を用いることにより、第２表示パネル２００Ａの透過率を向上させることができる。また、相対的にバックライト３００に近い第２表示パネル２００Ａは、バックライト３００からの光により温度が上昇し易いため、高温での作動特性のよいネガ型液晶を第２液晶層２３の液晶材料に用いることにより、高温での応答特性を改善することができる。
【０１４１】
なお、本変形例に係る液晶表示装置において、画像品位の効果に特に着目し、位相差板の配置によるハローの発生の抑制効果と斜め方向から表示パネルを見たときの色シフトの抑制効果とを犠牲にすれば、第１光学シート３０Ａ、第２光学シート４０Ａ、第３光学シート５０Ａ及び第４光学シート６０Ａは、必ずしも必要ではない。
【０１４２】
また、本変形例に係る液晶表示装置では、第２液晶セル２０の第２対向基板２２が第２ＴＦＴ基板２１よりも第２液晶セル２０の背面寄りに配置されている。つまり、第２表示パネル２００Ａは、第２ＴＦＴ基板２１が観察者に位置し、第２対向基板２２がバックライト３００側に位置するように配置されている。これにより、第２対向基板２２に形成されたブラックマトリクスによってバックライト３００からの熱を効果的に遮断することができるので、液晶表示装置の熱による劣化及び画像品位の低下を抑制することができる。
【０１４３】
（実施例）
以下、実施例によって本開示をさらに具体的に説明するが、本開示はこれらの実施例によって限定されるものではない。本実施例では、液晶表示装置における位相差板の配置を変更して、サンプル１〜６を作製した。
【０１４４】
［サンプル１］
カラー画像表示用の第１液晶セルの対向基板（ＣＦ基板）側に位相差板付き偏光板（位相差板の屈折率特性：ｎｘ＞ｎｚ＞ｎｙ、位相差板の遅相軸と偏光板の吸収軸とのなす角度：９０°）を、位相差板が偏光板よりも第１液晶セル側に位置するように貼り合わせた。ここで、第１液晶セルの液晶層として正の誘電異方性を有する液晶を採用し、偏光板の吸収軸と、第１液晶セルに含まれる液晶層（電界無印加状態でホモジニアス配列に配向させた液晶分子）の電界無印加時の長軸方向とが直交するように貼り合わせた。そして、この第１液晶セルのＴＦＴ基板側に、偏光板（位相差板なし）を、その吸収軸が、対向基板側の偏光板の吸収軸と直交するように貼り合わせた。このようにして第１表示パネルを得た。
【０１４５】
次に、白黒画像表示用の第２液晶セルの両側に、それぞれ、偏光板（位相差板なし）を互いの吸収軸が直交するように貼り合わせた。ここで、第２液晶セルの液晶層として正の誘電異方性を有する液晶を採用し、いずれか一方の偏光板の吸収軸と、第２液晶セルに含まれる液晶層（電界無印加状態でホモジニアス配列に配向させた液晶分子）の電界無印加時の長軸方向とが直交するように貼り合わせた。このようにして、第２表示パネルを得た。
【０１４６】
次に、第１表示パネルの液晶層に対してＴＦＴ基板が配置されている側に、第２表示パネルを、光拡散粘着剤を含む積層体を介して積層した。このとき、第１表示パネルの第１液晶セルのＴＦＴ基板側の偏光板の吸収軸と第２表示パネルの第２液晶セルの対向基板側の偏光板の吸収軸とが平行となるように積層した。これにより、サンプル１に係る液晶表示装置を得た。
【０１４７】
このように、サンプル１に係る液晶表示装置では、カラー画像表示用の第１液晶セルの対向基板（ＣＦ基板）側の偏光板のみが位相差板付き偏光板として構成されている。
【０１４８】
［サンプル２］
第１表示パネルの作製に際し、対向基板側に位相差板が積層されていない偏光板を貼り合わせ、ＴＦＴ基板側に上記位相差板付き偏光板を貼り合わせたこと以外はサンプル１と同様にして、液晶表示装置を得た。すなわち、サンプル２に係る液晶表示装置では、カラー画像表示用の第１液晶セルのＴＦＴ基板側の偏光板のみが位相差板付き偏光板として構成されている。
【０１４９】
［サンプル３］
第１表示パネルの作製に際し、対向基板側に位相差板が積層されていない偏光板を貼り合わせたこと、及び、第２表示パネルの作製に際し、対向基板側に上記位相差板付き偏光板を貼り合わせたこと以外はサンプル１と同様にして、液晶表示装置を得た。すなわち、サンプル３に係る液晶表示装置では、白黒画像表示用の第２液晶セルの対向基板側の偏光板のみが位相差板付き偏光板として構成されている。
【０１５０】
［サンプル４］
第１表示パネルの作製に際し、対向基板側に位相差板が積層されていない偏光板を貼り合わせたこと、及び、第２表示パネルの作製に際し、ＴＦＴ基板側に上記位相差板付き偏光板を貼り合わせたこと以外はサンプル１と同様にして、液晶表示装置を得た。すなわち、サンプル４に係る液晶表示装置では、白黒画像表示用の第２液晶セルのＴＦＴ基板側の偏光板のみが位相差板付き偏光板として構成されている。
【０１５１】
［サンプル５］
第１表示パネルの作製に際し、対向基板側に位相差板が積層されていない偏光板を貼り合わせ、ＴＦＴ基板側に上記位相差板付き偏光板を貼り合わせたこと、及び、第２表示パネルの作製に際し、ＴＦＴ基板側に上記位相差板付き偏光板を貼り合わせたこと以外はサンプル１と同様にして、液晶表示装置を得た。すなわち、サンプル５に係る液晶表示装置では、カラー画像表示用の第１液晶セルのＴＦＴ基板側の偏光板が位相差板付偏光板として構成され、かつ、白黒画像表示用の液晶セルのＴＦＴ基板側の偏光板が位相差板付偏光板として構成されている。
【０１５２】
［サンプル６］
第２表示パネルの作製に際し、ＴＦＴ基板側に上記位相差板付き偏光板を貼り合わせたこと以外はサンプル１と同様にして、液晶表示装置を得た。すなわち、サンプル６に係る液晶表示装置では、カラー画像表示用の第１液晶セルの対向基板側の偏光板が位相差板付偏光板として構成され、かつ、白黒画像表示用の第２液晶セルのＴＦＴ基板側の偏光板が位相差板付偏光板として構成されている。
【０１５３】
なお、サンプル６に係る液晶表示装置は、図２に示す上記実施の形態１に係る液晶表示装置に対応する。
【０１５４】
［サンプル７］
第１表示パネルの作製に際し、対向基板側に位相差板が積層されていない偏光板を貼り合わせ、ＴＦＴ基板側に上記位相差板付き偏光板を貼り合わせたこと、及び、第２表示パネルの作製に際し、対向基板側に上記位相差板付き偏光板を貼り合わせたこと以外はサンプル１と同様にして、液晶表示装置を得た。すなわち、サンプル７に係る液晶表示装置では、カラー画像表示用の第１液晶セルのＴＦＴ基板側の偏光板が位相差板付偏光板として構成され、かつ、白黒画像表示用の液晶セルの対向基板側の偏光板が位相差板付偏光板として構成されている。
【０１５５】
なお、サンプル７に係る液晶表示装置は、図６に示す上記実施の形態２に係る液晶表示装置に対応する。
【０１５６】
［サンプル８］
第２表示パネルの作製に際し、対向基板側に上記位相差板付き偏光板を貼り合わせたこと以外はサンプル１と同様にして、液晶表示装置を得た。すなわち、サンプル８に係る液晶表示装置では、カラー画像表示用の第１液晶セルの対向基板側の偏光板が位相差板付偏光板として構成され、かつ、白黒画像表示用の第２液晶セルの対向基板側の偏光板が位相差板付偏光板として構成されている。
【０１５７】
［サンプル１〜８の評価］
サンプル１〜８に係る液晶表示装置について、ハローの発生、正面方向における白輝度、及び、正面方向におけるコントラストを評価した。
【０１５８】
ハローの発生は、高輝度領域（白表示領域）の周りに低輝度領域（黒表示領域）を配置した第１マスター画像を表示させた際に、高輝度領域周辺の低輝度領域に光漏れ（黒表示領域に浮かび上がる高輝度領域に対応した明るい影）の有無（度合い）を目視にて観察することにより、評価した。
【０１５９】
正面方向における白輝度は、第１表示パネル及び第２表示パネルの２つの表示パネルに最大階調の信号を入力して２つの表示パネルの透過率を最大にした状態でバックライトを点灯させ、液晶表示装置の正面方向からの輝度を測定することで評価した。
【０１６０】
正面方向におけるコントラストは、第１表示パネル及び第２表示パネルの２つの表示パネルに最小階調の信号を入力して２つの表示パネルの透過率を最小にした状態でバックライトを点灯させ、表示装置の正面方向からの輝度（正面方向における黒輝度）を測定し、この値で、上記正面方向おける白輝度を除算することで評価した。
【０１６１】
このようにして評価したサンプル１〜８の液晶表示装置の評価結果を表１に示す。
【０１６２】
【表１】
0006795615.tif 000002
【０１６３】
表１に示すとおり、サンプル１、２、５〜８では、ハローの発生が良好に抑制された。一方、サンプル３、４ではハローの発生が確認された。
【０１６４】
これは、サンプル１、２、５〜８では、観察者側の第１表示パネル（カラー画像表示用のパネル）に位相差板が配置されており、液晶表示装置に第１マスター画像を表示させた際に、第２表示パネルから第１表示パネルに入射した光のうち第１表示パネル内を斜め方向に進む光の位相差が第１表示パネルの位相差板により補償されて、この光が第１表示パネルの第１液晶セルの対向基板（ＣＦ基板）側の偏光板により良好に遮光されたと考えられる。その結果、第１マスター画像を表示させた際に、高輝度領域周辺の低輝度領域に光漏れが発生しなかったと考えられる。
【０１６５】
これに対し、サンプル３、４では、第１表示パネルに位相差板が配置されていないため、液晶表示装置に第１マスター画像を表示させた際に、第２表示パネルから第１表示パネルに入射した光のうち第１表示パネル内を斜め方向に進む光の一部が、第１表示パネルの第１液晶セルの対向基板側の偏光板に遮光されず、高輝度領域周辺の低輝度領域に漏れ出て、ハローが発生したと考えられる。なお、サンプル３、４では、正面方向におけるコントラストは比較的大きかった。
【０１６６】
また、サンプル５〜８は、サンプル１に比べて、コントラストが格段に優れている。これは、サンプル５〜８では、バックライト側の第２表示パネル（白黒画像表示用のパネル）に位相差板が配置されており、黒表示時に第２表示パネルを斜め方向に透過しようとする光の位相差が補償されて、第２表示パネルの第２液晶セルの対向基板側の偏光板に良好に遮光されたと考えられる。その結果、黒表示時に第２表示パネルを透過して第１表示パネルに入射する光の量が少なくなって、正面方向における黒輝度が低下し、コントラストが格段に高くなったと考えられる。
【０１６７】
（変形例）
以上、本開示に係る液晶表示装置について、実施の形態１、２に基づいて説明したが、本開示は、上記実施の形態１、２に限定されるものではない。
【０１６８】
例えば、上記実施の形態１、２では、２つの表示パネルを用いて液晶表示装置を構成したが、これに限るものではなく、３つ以上の表示パネルを用いて液晶表示装置を構成してもよい。
【０１６９】
また、上記実施の形態１、２では、２つの位相差板を用いて液晶表示装置を構成したが、位相差板の数は２つに限るものではない。
【０１７０】
その他、上記実施の形態１、２に対して当業者が思いつく各種変形を施して得られる形態や、本開示の趣旨を逸脱しない範囲で実施の形態及び変形例における構成要素及び機能を任意に組み合わせることで実現される形態も本開示に含まれる。
【符号の説明】
【０１７１】
１、１Ａ、１Ｘ、１Ｙ  液晶表示装置
１０  第１液晶セル
１１  第１ＴＦＴ基板
１２  第１対向基板
１２ａ  第１画素形成層
１３  第１液晶層
２０  第２液晶セル
２１  第２ＴＦＴ基板
２２  第２対向基板
２２ａ  第２画素形成層
２３  第２液晶層
３０、３０Ａ、６０Ｙ  第１光学シート
３１、４１、５１、６１  偏光板
３２、４２  位相差板
３３、４３、５３、６３  光拡散層
３４ａ、４４ａ、５４ａ、６４ａ  第１支持部材
３４ｂ、４４ｂ、５４ｂ、６４ｂ  第２支持部材
３４ｃ、４４ｃ、５４ｃ、６４ｃ  第３支持部材
３５ａ、４５ａ  第１粘着層
３５ｂ、４５ｂ  第２粘着層
３６、４６、５６、６６  保護層
４０、４０Ａ、５０Ｘ  第２光学シート
５０、５０Ａ  第３光学シート
５５、６５  粘着層
６０、６０Ａ  第４光学シート
１００、１００Ａ、１００Ｙ  第１表示パネル
１１０  第１画像表示領域
１２０  第１ソースドライバ
１３０  第１ゲートドライバ
１４０  第１タイミングコントローラ
２００、２００Ａ、２００Ｘ  第２表示パネル
２１０  第２画像表示領域
２２０  第２ソースドライバ
２３０  第２ゲートドライバ
２４０  第２タイミングコントローラ
３００  バックライト
４００  画像処理部
【図１】
0006795615.tif 000003
【図２】
0006795615.tif 000004
【図３】
0006795615.tif 000005
【図４】
0006795615.tif 000006
【図５】
0006795615.tif 000007
【図６】
0006795615.tif 000008
【図７】
0006795615.tif 000009
【図８】
0006795615.tif 000010
【図９】
0006795615.tif 000011
【図１０】
0006795615.tif 000012
【図１１】
0006795615.tif 000013
【図１２Ａ】
0006795615.tif 000014
【図１２Ｂ】
0006795615.tif 000015
【図１３】
0006795615.tif 000016
【図１４】
0006795615.tif 000017